(57)【要約】  バックライト（３）と、表示用液晶パネル（１）と、表示用液晶パネル（１）の視野角を制御する視野角制御パネル（２）とを備えた液晶表示装置（１０）を含む。表示用液晶パネル（１）におけるバックライト（３）からの光漏れ量よりも液晶表示装置（１０）における外光の反射光の反射光量の方が相対的に大きくなるようにする。これにより、遮蔽効果を増大し得る表示装置システムを提供する。
2007138732.tif 000002
【特許請求の範囲】
【請求項１】
バックライトと、表示パネルと、上記表示パネルの視野角を制御する視野角制御パネルとを備えた表示装置を含む表示装置システムであって、
上記表示装置におけるバックライトからの光漏れ量よりも表示装置における外光の反射光の反射光量の方が相対的に大きくなるようにする反射光量相対的増大部が設けられていることを特徴とする表示装置システム。
【請求項２】
前記反射光量相対的増大部は、前記表示装置の反射光量を大きくするライトを点灯するライト点灯部を備えていることを特徴とする請求項１記載の表示装置システム。
【請求項３】
前記ライト点灯部は、表示装置を囲む４辺のうちの少なくとも１辺の位置にライトを備えていることを特徴とする請求項２記載の表示装置システム。
【請求項４】
前記ライト点灯部は、表示装置を使用する観察者の対向位置にライトを備えていることを特徴とする請求項２記載の表示装置システム。
【請求項５】
前記表示装置には、表示パネルの表面側に設けられ、かつ一部分をタッチすることにより信号入力を可能とするタッチパネルが設けられていると共に、
前記ライト点灯部は、タッチパネルにタッチしたときに、前記ライトを点灯することを特徴とする請求項２記載の表示装置システム。
【請求項６】
前記反射光量相対的増大部は、人の存在を感知する人感知センサを備え、
前記ライト点灯部は、上記人感知センサにより人の存在を感知したときに、ライトを点灯することを特徴とする請求項２記載の表示装置システム。
【請求項７】
前記表示装置は、現金自動支払い機に設けられていると共に、
前記ライト点灯部は、現金自動支払い機にキャッシュカードが挿入されたときに、ライトを点灯することを特徴とする請求項２記載の表示装置システム。
【請求項８】
前記反射光量相対的増大部は、前記バックライトの輝度を減ずるバックライト輝度低減部を備えていることを特徴とする請求項１記載の表示装置システム。
【請求項９】
前記表示装置には、表示パネルの表面側に設けられ、かつ一部分をタッチすることにより信号入力を可能とするタッチパネルが設けられていると共に、
前記バックライト輝度低減部は、タッチパネルにタッチしたときに、前記バックライトの輝度を減ずることを特徴とする請求項８記載の表示装置システム。
【請求項１０】
前記反射光量相対的増大部は、人の存在を感知する人感知センサを備え、
前記バックライト輝度低減部は、上記人感知センサにより人の存在を感知したときに、前記バックライトの輝度を減ずることを特徴とする請求項８記載の表示装置システム。
【請求項１１】
前記表示装置は、現金自動支払い機に設けられていると共に、
前記バックライト輝度低減部は、現金自動支払い機にキャッシュカードが挿入されたときに、前記バックライトの輝度を減ずることを特徴とする請求項８記載の表示装置システム。
【請求項１２】
前記人感知センサは、赤外線により人の存在を感知することを特徴とする請求項６又は１０記載の表示装置システム。
【請求項１３】
前記人感知センサは、表示装置を操作する人の存在を感知することを特徴とする請求項１２記載の表示装置システム。
【請求項１４】
前記人感知センサは、表示装置を操作する人の背後に存在する人の存在を感知することを特徴とする請求項１２記載の表示装置システム。
【請求項１５】
前記反射光量相対的増大部は、表示装置の周辺の照度を感知する周辺照度感知センサを備え、
前記ライト点灯部は、上記周辺照度感知センサにて感知した照度が、設定値以下になったときに、ライトを点灯することを特徴とする請求項２記載の表示装置システム。
【請求項１６】
前記反射光量相対的増大部は、表示装置の周辺の照度を感知する周辺照度感知センサを備え、
前記バックライト輝度低減部は、上記周辺照度感知センサにて感知した照度が、設定値以下になったときに、前記バックライトの輝度を減ずることを特徴とする請求項８記載の表示装置システム。
【請求項１７】
前記反射光量相対的増大部は、拡散処理されている偏光板を表示装置の表面側に備えていることを特徴とする請求項１記載の表示装置システム。
【請求項１８】
前記反射光量相対的増大部は、表示装置の周囲の少なくとも一部に、該表示装置の反射光量を大きくするための反射部材を備えていることを特徴とする請求項１、２又は８記載の表示装置システム。
【請求項１９】
前記反射部材は、表示装置を使用する観察者の対向位置に設けられていることを特徴とする請求項１８記載の表示装置システム。
【請求項２０】
前記反射部材は、表示装置への対向角度が変更可能な反射板からなっていることを特徴とする請求項１８記載の表示装置システム。
【請求項２１】
前記視野角制御パネルは、一対の透光性基板間に液晶分子を垂直配向させた液晶層を有する液晶セルと、上記液晶層へ電圧を印加する駆動回路とを備え、
上記液晶セルは、偏光透過軸が略直交するよう対向配置された２枚の偏光板の間に配置され、
上記駆動回路は、上記液晶セルの液晶層の液晶分子の配列状態を変化させることにより、表示状態を、第１の視野角範囲と、該第１の視野角範囲内にありかつ第１の視野角範囲よりも狭い第２の視野角範囲との間で切替えることを特徴とする請求項１記載の表示装置システム。
【請求項２２】
前記表示パネルは、液晶表示パネルであることを特徴とする請求項１記載の表示装置システム。
【発明の詳細な説明】
【技術分野】
【０００１】
本発明は、表示パネルの視野角を制御する視野角制御パネルを備えた表示装置システムに関するものである。
【背景技術】
【０００２】
表示装置は、一般的には、どの視角から見ても鮮明な画像を見ることができるように、可能な限り広い視野角を有することが求められている。特に、最近広く普及している液晶表示装置は、液晶そのものが視角依存性を有することから、広視野角化に関して様々な技術開発が行われてきた。【０００３】
しかしながら、使用環境によっては、使用者本人にしか表示内容が視認できないよう、視野角が狭い方が好都合であることもある。特に、ノート型パーソナルコンピュータ、携帯型情報端末（ＰＤＡ:Personal Data Assistant）、又は携帯電話等は、電車や飛行機内等、不特定多数の人間が存在し得る場所で使用される可能性も高い。そのような使用環境においては、機密保持やプライバシー保護等の観点から、近傍の他人から表示内容を覗かれたくないので、表示装置の視野角が狭いことが望ましい。このように、近年、１台の表示装置の視野角を、使用状況に応じて広視野角と狭視野角との間で切替えたいという要求が高まっている。なお、この要求は、液晶表示装置に限らず、任意の表示装置に対して共通の課題である。【０００４】
このような要求に対して、例えば、特許文献１では、画像を表示する表示装置に加えて位相差制御用装置を備え、この位相差制御用装置に印加する電圧を制御することによって視野角特性を変化させようとする技術が提案されている。この特許文献１では、位相差制御用液晶表示装置で用いる液晶モードとして、カイラルネマティック液晶、ホモジニアス液晶、ランダム配向のネマティック液晶等が例示されている。【０００５】
また、例えば、特許文献２及び特許文献３には、表示用液晶パネル上部に、視野角制御用液晶パネルを設け、これらのパネルを２枚の偏光板で挟持し、視野角制御用液晶パネルヘの印加電圧を調整することによって、視野角制御を行う構成も開示されている。この特許文献２では、視野角制御用液晶パネルの液晶モードはツイストネマティック方式である。
【特許文献１】日本国公開特許公報「特開平１１−１７４４８９号公報（１９９９年７月２日公開）」
【特許文献２】日本国公開特許公報「特開平１０−２６８２５１号公報（１９９８年１０月９日公開）」
【特許文献３】日本国公開特許公報「特開２００５−３０９０２０号公報（２００５年１１月４日公開）」
【発明の開示】
【０００６】
しかしながら、上記従来の特許文献１では、位相差制御用液晶素子を用いることによって広視野角モードと狭視野角モードとの切替えが可能であると述べられているが、その効果は十分とは言えない。例えば特許文献１には、図１７に示すように、コントラスト比が約１０：１のコントラスト曲線が示されており、狭視野角モードでは、確かに広視野角方向のコントラストが低下している。しかしながら、この程度の変化では、隣にいる人から表示が十分に視認されてしまう。この理由は、コントラスト比が例えば２：１まで低下しても、一般に、十分に表示を視認することができるからである。
【０００７】
また、特許文献２及び特許文献３の技術も、視野角制御用液晶パネルヘの印加電圧を変化させてコントラストを調整することによって、広視野角と狭視野角との切替えを行うものであるが、その効果は十分とは言えない。
【０００８】
すなわち、特許文献１〜特許文献３のいずれの技術も、広視野角方向のコントラストを低下させることによって、広視野角モードと狭視野角モードとの切替えを行う手法を採用しているが、このような手法では、狭視野角モード時に広視野角方向つまり狭視野角とならなかった方向の遮蔽が十分ではなく、他人から画像が見られてしまう可能性があるという問題がある。
【０００９】
本発明は、上記従来の問題点に鑑みなされたものであって、その目的は、遮蔽効果を増大し得る表示装置システムを提供することにある。
【００１０】
本発明者らは、上記問題について、鋭意、様々な検討を行った結果、外光が表示装置に当たる環境下で使用する方が、遮蔽効果が高いことを確認し、本発明を見出した。
【００１１】
すなわち、本発明の表示装置システムは、上記課題を解決するために、バックライトと、表示パネルと、上記表示パネルの視野角を制御する視野角制御パネルとを備えた表示装置を含む表示装置システムであって、上記表示装置におけるバックライトからの光漏れ量よりも表示装置における外光の反射光の反射光量の方が相対的に大きくなるようにする反射光量相対的増大部が設けられている。なお、「相対的に」としたのは、反射光量をバックライトからの光漏れ量よりも大きくする方法として、バックライトの輝度を減ずることも可能であるためである。
【００１２】
上記の発明によれば、反射光量相対的増大部は、上記表示装置におけるバックライトからの光漏れ量よりも表示装置における外光の反射光の反射光量の方が相対的に大きくなるようにする。これにより、表示装置における表示パネルの表示の視認を低減できる。この結果、遮蔽効果を増大し得る表示装置システムを提供することができる。
【００１３】
また、本発明の表示装置システムでは、前記反射光量相対的増大部は、前記表示装置の反射光量を大きくするライトを点灯するライト点灯部を備えていることが好ましい。
【００１４】
これにより、ライト点灯部にてライトを点灯するので、確実にバックライトからの光漏れ量よりも表示装置における外光の反射光の反射光量の方が相対的に大きくなるようにすることができる。
【００１５】
また、本発明の表示装置システムでは、前記ライト点灯部は、表示装置を囲む４辺のうちの少なくとも１辺の位置にライトを備えていることが好ましい。
【００１６】
これにより、表示装置を囲む４辺のうちの少なくとも１辺の位置に備えているライトによって、バックライトからの光漏れ量よりも表示装置における外光の反射光の反射光量の方が相対的に大きくなるようにすることができる。
【００１７】
また、本発明の表示装置システムでは、前記ライト点灯部は、表示装置を使用する観察者の対向位置にライトを備えていることが好ましい。
【００１８】
これにより、ライトは観察者の前方に設けられていることになるので、例えば、表示装置を使用する観察者の背後に存在する人は、ライトによる表示装置における外光の反射光の増大により、表示装置の表示の視認が抑制される。
【００１９】
また、本発明の表示装置システムでは、前記表示装置には、表示パネルの表面側に設けられ、かつ一部分をタッチすることにより信号入力を可能とするタッチパネルが設けられていると共に、前記ライト点灯部は、タッチパネルにタッチしたときに、前記ライトを点灯することが好ましい。
【００２０】
これにより、例えば、銀行のＡＴＭ（Automatic Teller Machine:現金自動支払い機）に備えられているタッチパネルを備えた表示装置を操作する場合に、タッチパネルにタッチしたときに、ライトを点灯することができる。したがって、表示装置を使用する操作者は、他人にその表示内容を見られないようにすることができる。
【００２１】
また、本発明の表示装置システムでは、前記反射光量相対的増大部は、人の存在を感知する人感知センサを備え、前記ライト点灯部は、上記人感知センサにより人の存在を感知したときに、ライトを点灯することが好ましい。
【００２２】
これにより、人の存在を感知する人感知センサにより人の存在を感知したときに、ライトを点灯する。したがって、表示装置を使用する操作者がいるときには、バックライトからの光漏れ量よりも表示装置における外光の反射光の反射光量の方が相対的に大きくなるようにすることができる。この結果、表示装置を使用する操作者の背後に人が存在しても、該操作者の背後の人における表示への視認を抑制することができる。
【００２３】
また、本発明の表示装置システムでは、前記表示装置は、現金自動支払い機に設けられていると共に、前記ライト点灯部は、現金自動支払い機にキャッシュカードが挿入されたときに、ライトを点灯することが好ましい。
【００２４】
すなわち、現金自動支払い機にキャッシュカードが挿入されたときには、表示装置を使用する操作者が存在することになる。したがって、このときに、ライトを点灯することによって、遮蔽効果を増大して、他人にその表示内容を見られないようにすることができる。
【００２５】
また、本発明の表示装置システムでは、前記反射光量相対的増大部は、前記バックライトの輝度を減ずるバックライト輝度低減部を備えていることが好ましい。
【００２６】
すなわち、表示装置におけるバックライトからの光漏れ量よりも表示装置における外光の反射光の反射光量の方が相対的に大きくなるようにする方法として、バックライトの輝度を減ずることも可能である。これによっても、表示装置における表示パネルの表示の視認を低減でき、遮蔽効果を増大し得る表示装置システムを提供することができる。
【００２７】
また、本発明の表示装置システムでは、前記表示装置には、表示パネルの表面側に設けられ、かつ一部分をタッチすることにより信号入力を可能とするタッチパネルが設けられていると共に、前記バックライト輝度低減部は、タッチパネルにタッチしたときに、前記バックライトの輝度を減ずることが好ましい。
【００２８】
これにより、タッチパネルにタッチしたときに、前記バックライトの輝度を減ずるので、例えば、銀行のＡＴＭに備えられているタッチパネルを備えた表示装置を操作する場合に、タッチパネルにタッチしたときに、バックライトの輝度を減ずることができる。したがって、表示装置を使用する操作者は、他人にその表示内容を見られないようにすることができる。
【００２９】
また、本発明の表示装置システムでは、前記反射光量相対的増大部は、人の存在を感知する人感知センサを備え、前記バックライト輝度低減部は、上記人感知センサにより人の存在を感知したときに、前記バックライトの輝度を減ずることが好ましい。
【００３０】
これにより、人感知センサにより人の存在を感知したときに、バックライトの輝度を減ずる。したがって、表示装置を使用する操作者がいるときには、バックライトからの光漏れ量よりも表示装置における外光の反射光の反射光量の方が相対的に大きくなるようにすることができる。この結果、表示装置を使用する操作者の背後に人が存在しても、該操作者の背後の人における表示への視認を抑制することができる。
【００３１】
また、本発明の表示装置システムでは、前記表示装置は、現金自動支払い機に設けられていると共に、前記バックライト輝度低減部は、現金自動支払い機（ＡＴＭ）にキャッシュカードが挿入されたときに、前記バックライトの輝度を減ずることが好ましい。
【００３２】
すなわち、現金自動支払い機にキャッシュカードが挿入されたときには、表示装置を使用する操作者が存在することになる。したがって、このときに、バックライトの輝度を減ずることによって、遮蔽効果を増大して、他人にその表示内容を見られないようにすることができる。
【００３３】
また、本発明の表示装置システムでは、前記人感知センサは、赤外線により人の存在を感知することが好ましい。
【００３４】
これにより、人感知センサとして、一般的な赤外線により人の存在を感知することによって、容易に、人感知センサを構成することができる。
【００３５】
また、本発明の表示装置システムでは、前記人感知センサは、表示装置を操作する人の存在を感知することが好ましい。
【００３６】
これにより、表示装置を使用する操作者がいるときに、バックライトからの光漏れ量よりも表示装置における外光の反射光の反射光量の方が相対的に大きくなるようにすることができる。
【００３７】
また、本発明の表示装置システムでは、前記人感知センサは、表示装置を操作する人の背後に存在する人の存在を感知することが好ましい。
【００３８】
これにより、表示装置を使用する操作者の背後に人がいるときに、バックライトからの光漏れ量よりも表示装置における外光の反射光の反射光量の方が相対的に大きくなるようにすることができる。
【００３９】
また、本発明の表示装置システムでは、前記反射光量相対的増大部は、表示装置の周辺の照度を感知する周辺照度感知センサを備え、前記ライト点灯部は、上記周辺照度感知センサにて感知した照度が、設定値以下になったときに、ライトを点灯することが好ましい。
【００４０】
これにより、周辺環境が暗くなり、周辺照度感知センサにて感知した照度が設定値以下になったときに、ライト点灯部は、ライトを点灯する。
【００４１】
したがって、例えば、夕方等において、周辺が暗くなってきて、表示装置が視認し易くなってきたときに、ライトを点灯して、バックライトからの光漏れ量よりも表示装置における外光の反射光の反射光量の方が相対的に大きくなるようにすることができる。
【００４２】
また、本発明の表示装置システムでは、前記反射光量相対的増大部は、表示装置の周辺の照度を感知する周辺照度感知センサを備え、前記バックライト輝度低減部は、上記周辺照度感知センサにて感知した照度が、設定値以下になったときに、前記バックライトの輝度を減ずることが好ましい。
【００４３】
これにより、バックライト輝度低減部は、周辺照度感知センサにて感知した照度が設定値以下になったときに、前記バックライトの輝度を減ずる。
【００４４】
したがって、例えば、夕方等において、周辺が暗くなってきて、表示装置が視認し易くなってきたときに、バックライトの輝度を減じて、バックライトからの光漏れ量よりも表示装置における外光の反射光の反射光量の方が相対的に大きくなるようにすることができる。
【００４５】
また、本発明の表示装置システムでは、前記反射光量相対的増大部は、拡散処理されている偏光板を表示装置の表面側に備えていることが好ましい。
【００４６】
これにより、表示装置の表面側には拡散処理されている偏光板が備えられているので、拡散処理していない偏光板が備えられている場合に比べて、視野角制御パネルの遮蔽効果が高まる。
【００４７】
また、本発明の表示装置システムでは、前記反射光量相対的増大部は、表示装置の周囲の少なくとも一部に、該表示装置の反射光量を大きくするための反射部材を備えていることが好ましい。
【００４８】
これにより、表示装置の周囲の少なくとも一部に反射部材を設けることにより、表示装置の反射光量を大きくすることができる。
【００４９】
したがって、ライト点灯又はバックライトの輝度の減少による、バックライトからの光漏れ量よりも表示装置における外光の反射光の反射光量の方が相対的に大きくなるようにする効果を一層向上させることができる。
【００５０】
また、本発明の表示装置システムでは、前記反射部材は、表示装置を使用する観察者の対向位置に設けられていることが好ましい。
【００５１】
これにより、外光は、表示装置を使用する観察者の対向位置に設けられている反射部材によって、反射される。したがって、例えば、表示装置を使用する観察者の背後に存在する人は、反射部材による反射光により、表示装置の表示への視認が抑制される。
【００５２】
また、本発明の表示装置システムでは、前記反射部材は、表示装置への対向角度が変更可能な反射板からなっていることが好ましい。
【００５３】
これにより、表示装置への対向角度が変更可能な反射板の角度を変えることにより、希望する方向からの表示装置の表示への視認を防止することができる。
【００５４】
また、本発明の表示装置システムでは、前記視野角制御パネルは、一対の透光性基板間に液晶分子を垂直配向させた液晶層を有する液晶セルと、上記液晶層へ電圧を印加する駆動回路とを備え、上記液晶セルは、偏光透過軸が略直交するよう対向配置された２枚の偏光板の間に配置され、上記駆動回路は、上記液晶セルの液晶層の液晶分子の配列状態を変化させることにより、表示状態を、第１の視野角範囲と、該第１の視野角範囲内にありかつ第１の視野角範囲よりも狭い第２の視野角範囲との間で切替えることが好ましい。
【００５５】
上記の発明によれば、視野角制御パネルの液晶セルを挟むように偏光透過軸が略直交する２枚の偏光板が配置されている。なお、視野角制御パネルと上記２枚の偏光板とは、必ずしも隣接している必要はなく、それらの間に何らかの構成要素が介在しても良い。
【００５６】
上記の構成では、液晶層に所定の電圧を印加して液晶分子の配列状態を変化させ、液晶の複屈折を利用することにより、視野角制御パネルの液晶セルから出射する光の偏光状態を変化させれば、視野角制御パネルの観察者側に配置されている偏光板が検光子として作用し、視野角制御パネルから観察者側へ出射する光を、視角に応じて透過又は遮蔽することができる。すなわち、表示状態を、第１の視野角範囲を提供する広視野角と、第１の視野角範囲内にあり第１の視野角範囲よりも狭い第２の視野角範囲を提供する狭視野とのいずれかに切替え可能である。なお、「広視野角」と「狭視野角」とは、特定の絶対的な角度範囲を意味するのではなく、相対的に広い視野角と、相対的に狭い視野角とを意味する。
【００５７】
また、上記の構成では、液晶分子を垂直配向させた液晶セルを用いることにより、限られた視野角のみ表示を視認できる狭視野角状態が実現可能である。これにより、従来の視野角制御技術のように、広視野角側の表示のコントラストを低下させるのではなく、光の透過及び遮蔽の切替えによって視野角制御を行うことができる。この結果、狭視野角モードに切替えたときにも、バックライトからの光漏れ量よりも表示装置における外光の反射光の反射光量の方が相対的に大きくなるようにすることができるので、遮蔽効果を増大することができる。
【００５８】
また、本発明の表示装置システムでは、前記表示パネルは、液晶表示パネルであることが好ましい。なお、液晶表示パネルは、透過型液晶表示パネル、反射型液晶表示パネル、又は半透過型液晶表示パネルのいずれでもよい。
【００５９】
これにより、遮蔽効果を増大し得る液晶表示パネルを備えた表示装置システムを提供することができる。
【００６０】
本発明のさらに他の目的、特徴、及び優れた点は、以下に示す記載によって十分わかるであろう。また、本発明の利益は、添付図面を参照した次の説明で明白になるであろう。
【図面の簡単な説明】
【００６１】
【図１】本発明における表示装置システムの実施の一形態を示す模式図である。
【図２】上記表示装置システムに用いられる視野角制御パネルを備えた液晶表示装置の構成を示す断面図である。
【図３】（ａ）は上記視野角制御パネルの狭視野角モード時における液晶分子の配列状態を示す斜視図であり、（ｂ）は上記視野角制御パネルの広視野角モード時における液晶分子の配列状態を示す斜視図である。
【図４】図３（ａ）（ｂ）と同じ向きに配置された視野角制御パネル及び第２偏光板の積層体に対する、視角の定義を表す模式図である。
【図５】（ａ）（ｂ）（ｃ）は、視角に応じた液晶分子と偏光板透過軸との位置関係を示す図である。
【図６】上記液晶表示装置の狭視野角モード時の輝度分布を示すチャートである。
【図７】上記液晶表示装置の広視野角モード時の輝度分布を示すチャートである。
【図８】上記液晶表示装置において、透光性基板と偏光板との間に位相差フィルムを設けた視野角制御パネルの構成を示す模式図である。
【図９】（ａ）は反射光のないときの画像視認のメカニズムを示す模式図であり、（ｂ）は反射光のあるときの画像視認のメカニズムを示す模式図である。
【図１０（ａ）】は液晶表示装置の周辺にライトを設けた表示装置システムの構成を示す斜視図である。
【図１０（ｂ）】液晶表示装置を使用する観察者の対向位置にフロントライトを備えた表示装置システムの構成を示す側面図である。
【図１１】ＡＴＭが設けられた居室の天井に、人の存在を感知する赤外線センサが設けられた表示装置システムの構成を示す側面図である。
【図１２（ａ）】ＡＴＭに人の存在を感知する赤外線センサが設けられた表示装置システムの構成を示す斜視図である。
【図１２（ｂ）】ＡＴＭに人の存在を感知する赤外線センサが設けられた表示装置システムの他の構成を示す斜視図である。
【図１３（ａ）】ＡＴＭの直前に液晶表示装置を使用する人の存在を感知する赤外線センサが設けられた表示装置システムの構成を示す斜視図である。
【図１３（ｂ）】ＡＴＭの前で順番待ちをしている人の存在を感知する赤外線センサが設けられた表示装置システムの構成を示す斜視図である。
【図１４（ａ）】ＡＴＭにカードを挿入することにより、ライトを点灯する表示装置システムの構成を示す斜視図である。
【図１４（ｂ）】ＡＴＭの前に設けられ、人の存在を検知する人感知用踏み板を備えた表示装置システムの構成を示す斜視図である。
【図１５（ａ）】ＡＴＭに照度計を設けた表示装置システムの構成を示す斜視図である。
【図１５（ｂ）】ＡＴＭが設けられた居室に照度計を備えた表示装置システムの構成を示す斜視図である。
【図１６（ａ）】ＡＴＭの周辺に反射板を設けた表示装置システムの構成を示す斜視図である。
【図１６（ｂ）】液晶表示装置を使用する観察者の対向位置に反射シートを備えた表示装置システムの構成を示す側面図である。
【図１６（ｃ）】液晶表示装置の周りにフロントライトとアルミ材とを設けた表示装置システムの構成を示す平面図である。
【図１７】従来の視野角制御パネルを備えた液晶表示装置の視野角分布を示すチャートである。
【符号の説明】
【００６２】
１      表示用液晶パネル（表示パネル）
２      視野角制御パネル
３      バックライト
５      タッチパネル
１０      液晶表示装置（表示装置）
１１      液晶セル
１２      第１偏光板（表面側の偏光板）
１３      第２偏光板（２枚の偏光板）
２１      液晶セル
２１ａ    透光性基板
２１ｂ    透光性基板
２１ｃ    液晶分子
２２      第３偏光板（２枚の偏光板）
３１      ライト（ライト、反射光量相対的増大部）
３２      フロントライト（ライト、反射光量相対的増大部）
４１      赤外線センサ（人感知センサ）
４３      赤外線センサ（人感知センサ）
５０      ＡＴＭ
５１      キャッシュカード
５２      人感知用パネル（人感知センサ）
６１      照度計（周辺照度感知センサ）
７１      反射板（反射部材）
７２      反射シート（反射部材）
７３      アルミ材（反射部材）
Ｘ１３      偏光透過軸
Ｘ２２      偏光透過軸
【発明を実施するための最良の形態】
【００６３】
本発明の一実施形態について図１ないし図１６に基づいて説明すれば、以下の通りである。なお、以下で参照する各図は、説明の便宜上、本発明の一実施形態の構成部材のうち、本発明を説明するために必要な主要部材のみを簡略化して示したものである。したがって、本発明の表示装置システムは、本明細書が参照する各図に示されていない任意の構成部材を備え得る。また、各図中の部材の寸法は、実際の構成部材の寸法及び各部材の寸法比率等を忠実に表したものではない。【００６４】
まず、本実施の形態の表示装置システムにおける表示装置としての液晶表示装置１０の構成について説明する。図２は、上記液晶表示装置１０の概略構成を示す断面図である。【００６５】
図２に示すように、液晶表示装置１０は、画像を表示する表示パネルとしての表示用液晶パネル１と液晶セル２１を備えた視野角制御パネル２との２枚の液晶パネルを備えている。上記表示用液晶パネル１は透過型であり、光源としてバックライト３が用いられる。【００６６】
上記視野角制御パネル２は、例えば、同図に示すように、バックライト３と表示用液晶パネル１との間に設けられている。【００６７】
液晶表示装置１０は、視野角制御パネル２における液晶をスイッチング動作させることにより、表示用液晶パネル１の画像が視認できる視野角が広い状態である広視野角モードと、表示用液晶パネル１の画像が視認できる視野角が狭い状態である狭視野角モードとの２つのモードの表示状態を切替えることができる。狭視野角モードは、他人に表示用液晶パネル１の画像を見られたくない場合に特に好適に用いられる一方、広視野角モードは、それ以外の通常の使用時や、表示用液晶パネル１の画像を複数人で同時に見たい場合等に好適に用いられる。【００６８】
表示用液晶パネル１は、一対の透光性基板間に液晶を挟持した液晶セル１１と、液晶セル１１の表裏に設けられた第１偏光板１２及び第２偏光板１３とを有している。液晶セル１１の液晶モードやセル構造は任意である。また、表示用液晶パネル１の駆動モードも任意である。すなわち、表示用液晶パネル１としては、文字、画像、又は動画を表示できる任意の液晶パネルを用いることができる。したがって、図２においては表示用液晶パネル１の詳細な構造を図示せず、その説明も省略する。【００６９】
また、表示用液晶パネル１は、カラー表示可能なパネルであっても良いし、モノクロ表示専用のパネルであっても良い。さらに、バックライト３の構成にも何ら限定がなく、公知の任意のバックライトを用いることができるので、バックライト３の詳細な構造の図示及び説明も省略する。【００７０】
視野角制御パネル２は、一対の後述する透光性基板２１ａ・２１ｂの間に液晶層を挟持した液晶セル２１と、この液晶セル２１のバックライト３側に設けられた第３偏光板２２とを備えている。液晶セル２１の液晶層は、垂直配向（ホメオトロピック配向）させたネマティック液晶からなる。なお、本実施の形態では、視野角制御パネル２は、液晶セル２１を備え、広視野角モード時と狭視野角モード時とに切替え可能となっているが、本発明では、必ずしもこれに限らず、液晶セル２１を備えていなくてもよい。また、広視野角モード時と狭視野角モード時とに切替え可能になっていなくてもよい。【００７１】
ここで、図３（ａ）（ｂ）に基づいて、視野角制御パネル２の詳細な構成及び動作について説明する。図３（ａ）（ｂ）は、主として視野角制御パネル２の構成を示す模式図であり、（ａ）は狭視野角モード時における液晶分子の配列状態を示し、（ｂ）は広視野角モード時における液晶分子の配列状態を示す。【００７２】
図３（ａ）（ｂ）に示すように、視野角制御パネル２の液晶セル２１は、一対の透光性基板２１ａ・２１ｂを備えている。透光性基板２１ａ・２１ｂのそれぞれの表面には、例えばＩＴＯ（Indium Tin Oxide：インジウムすず酸化物）を用いて図示しない透明電極が形成されている。なお、表示用液晶パネル１は、例えば画素単位又はセグメント単位等の表示単位で液晶を駆動することが必要であるので、表示単位に応じた電極構造を有している。しかし、視野角制御パネル２は、電極構造に関しては制限がない。例えば、表示面全体で一様なスイッチングを行うために透光性基板２１ａ・２１ｂの全面に一様な透明電極が形成された構成としても良いし、他の任意の電極構造を取り得る。【００７３】
透明電極の上層には、液晶分子２１ｃを配向させる図示しない配向膜が形成されている。配向膜には、公知の手法により、ラビング処理がなされている。図３（ａ）（ｂ）において、透光性基板２１ａ・２１ｂのそれぞれにおけるラビング方向を、矢印Ｒａ・Ｒｂにより示した。図３（ａ）（ｂ）に示すように、透光性基板２１ａの配向膜に対するラビング方向Ｒａは、透光性基板２１ｂの配向膜に対するラビング方向Ｒｂに平行かつ逆向きである。【００７４】
すなわち、液晶セル２１は、ツイスト角０（ねじれなし）のいわゆるパラレル型セルである。本実施の形態では、液晶セル２１に注入される液晶は、負の誘電異方性を持つネガ型ネマティック液晶である。したがって、液晶セル２１の液晶分子２１ｃは、電圧の無印加時には、透光性基板２１ａ・２１ｂの基板面に対して分子長軸が垂直となるように配列する。液晶セル２１の液晶層のリタデーションｄ・△ｎは、例えば、２００ｎｍ〜３５０ｎｍである。【００７５】
また、透光性基板２１ａ・２１ｂのそれぞれに設けられた図示しない電極間に電圧を印加すると、図３（ａ）に示すように、液晶分子２１ｃは、基板面に対して垂直な状態から、透光性基板２１ａ・２１ｂの法線に平行かつ透光性基板２１ａの配向膜に対するラビング方向Ｒａ・Ｒｂに平行な面内で、印加電圧の大きさに応じて徐々に向きを変える。そして、印加電圧が所定値となると、液晶分子２１ｃは、図３（ｂ）に示すように、透光性基板２１ａ・２１ｂの基板面に対して分子長軸が平行な状態で配列する。すなわち、図３（ａ）は、印加電圧ＶＬ（例えば２．５Ｖ〜３．５Ｖ程度の電圧）によって、液晶分子２１ｃの分子長軸が、透光性基板２１ａ・２１ｂの法線に対して傾いた状態を示す。また、図３（ｂ）は、印加電圧ＶＨ（例えば５．０Ｖ以上の電圧）によって、液晶分子２１ｃの分子長軸が、透光性基板２１ａ・２１ｂの基板面に略平行になった状態を示す。【００７６】
図３（ａ）に示すように、視野角制御パネル２において液晶セル２１の下方に設けられた第３偏光板２２と表示用液晶パネル１の第２偏光板１３とは、それぞれの偏光透過軸Ｘ２２と偏光透過軸Ｘ１３とが略直交するように配置されている。なお、これら第３偏光板２２及び第２偏光板１３は、本発明の液晶セル２１を挟んで対向配置された２枚の偏光板に相当する。また、第１偏光板１２は、本発明の偏光板に相当する。【００７７】
また、偏光透過軸Ｘ２２と偏光透過軸Ｘ１３とのなす角は、８０°〜１００°の範囲であれば、視野角切替えの十分な効果が得られる。表示用液晶パネル１の第２偏光板１３の偏光透過軸Ｘ１３は、透光性基板２１ａの配向膜に対するラビング方向Ｒに対して、４０°〜５０°（好ましくは４５°）の傾きを持つ。【００７８】
ここで、上述の図３（ａ）（ｂ）に加えて、図４及び図５を参照し、上述の構成の視野角制御パネル２を用いて、視野角を広視野角と狭視野角との間で切替える原理について説明する。すなわち、上記視野角制御パネル２は、液晶セル２１に対する印加電圧を切替えることにより、表示用液晶パネル１の第２偏光板１３と協働作用して、視野角を広視野角と狭視野角との間で切替える。なお、以下の説明において、視野角制御パネル２と第２偏光板１３との積層体に対する、ある視点からの視角を、第２偏光板１３の中央を基準とした方位角θ及び極角Φによって表す。図４は、図３（ａ）（ｂ）と同じ向きに配置された視野角制御パネル２及び第２偏光板１３の積層体に対する、３つの視点Ｐ１〜Ｐ３からの視角を表したものである。【００７９】
図４に示すように、方位角θは、視点から第２偏光板１３の表面を含む平面へ下ろした垂線の足と、第２偏光板１３の中央１３ｃとを結ぶ線の回転角である。図４の例では、方位角θは、視点Ｐ１の方向の方位角を０°として、第２偏光板１３の法線方向上側から見た場合に時計回りに増加するものとする。図４の例では、視点Ｐ２の方位角θ２は９０°、視点Ｐ３の方位角θ３は１８０°である。極角Φは、第２偏光板１３の中央１３ｃと視点とを結ぶ直線が、第２偏光板１３の法線となす角度である。【００８０】
ここで、図５（ａ）〜（ｃ）を参照しながら、液晶セル２１に対する印加電圧ＶＬによって、図３（ａ）に示す液晶分子２１ｃの分子長軸が透光性基板２１ａ・２１ｂの法線に対して微少角だけ傾いている場合の、図４に示す視点Ｐ１〜Ｐ３のそれぞれの視角から観察される表示状態について説明する。【００８１】
まず、図４に示す視点Ｐ１からの視角（方位角θ１＝０°）に対しては、図５（ａ）に示すように、液晶分子２１ｃの短軸側が視角方向に対向する状態となる。これにより、視点Ｐ１からの視角に対しては、バックライト３から出射され、第３偏光板２２を透過して液晶セル２１内に入射した直線偏光は、液晶分子２１ｃによって複屈折が与えられず、第２偏光板１３で遮蔽される。したがって、視点Ｐ１からの視角（方位角θ１＝０°）に対しては、黒表示となる。なお、液晶セル２１に対する印加電圧ＶＬが上述のとおり２．５Ｖ〜３．５Ｖ程度である場合、図６に示すように、方位角θ１＝０°については、極角Φについてはおよそ３０°≦Φ＜９０°の範囲で、他人からの覗き見を防止するに十分な遮光状態が得られる。なお、図６において、Ｌ１〜Ｌ８は、輝度が、５０ｃｄ／ｍ２、１００ｃｄ／ｍ２、１５０ｃｄ／ｍ２、２００ｃｄ／ｍ２、２５０ｃｄ／ｍ２、３００ｃｄ／ｍ２、３５０ｃｄ／ｍ２、及び４００ｃｄ／ｍ２の視角の分布を示す等位線である。【００８２】
また、図４に示す視点Ｐ２からの視角（方位角θ２＝９０°）に対しては、図５（ｂ）に示すように、液晶分子２１ｃの分子長軸が、第２偏光板１３の偏光透過軸Ｘ１３及び第３偏光板２２のそれぞれに対して若干傾いた状態となる。これにより、視点Ｐ２からの視角に対しては、バックライト３から出射され、第３偏光板２２を透過して液晶セル２１内に入射した直線偏光は、液晶分子２１ｃによってごくわずかな複屈折が生じるが、第２偏光板１３で遮蔽される。したがって、視点Ｐ２からの視角（方位角θ２＝９０°）に対しても、黒表示となる。また、視点Ｐ２と対向する位置、すなわち方位角θが２７０°の場合も視点Ｐ２からの観察時と同様の原理により、黒表示となる。なお、液晶セル２１に対する印加電圧ＶＬが上述のとおり２．５Ｖ〜３．５Ｖ程度である場合、方位角θ＝９０°及び方位角θ＝２７０°については、図６に示すように、極角Φについて約３０°≦Φ＜９０°の範囲で、他人からの覗き見を防止するに十分な遮光状態が得られる。【００８３】
また、図４に示す視点Ｐ３からの視角（方位角θ３＝１８０°）に対しては、図５（ｃ）に示すように、液晶分子２１ｃの分子長軸が、第２偏光板１３の偏光透過軸Ｘ１３及び第３偏光板２２の偏光透過軸Ｘ２２のそれぞれに対して約４５°傾き、かつ、液晶分子２１ｃの長軸側が視角方向に対向する状態となる。これにより、視点Ｐ３からの視角に対しては、バックライト３から出射され、かつ第３偏光板２２を透過して液晶セル２１内に入射した直線偏光は、液晶分子２１ｃによって複屈折が与えられ、第２偏光板１３の偏光透過軸に一致するよう偏光方向が回転され、第２偏光板１３を透過する。したがって、視点Ｐ３からの視角に対しては、良好な表示が得られる。なお、印加電圧ＶＬが上述のとおり２．５Ｖ〜３．５Ｖ程度である場合は、方位角θ３＝１８０°については、図６に示すように、極角Φについておよそ０°≦Φ＜９０°の範囲で、良好な表示が得られる。【００８４】
以上のとおり、視野角制御パネル２の液晶セル２１に、液晶分子２１ｃの分子長軸を基板法線に対して微少角だけ傾ける印加電圧ＶＬを印加した場合、方位角θ＝１８０°前後の狭い視角範囲についてのみ良好な表示が得られ、その他の方位角については、液晶セル２１内の偏光光が第２偏光板１３で遮光され、黒表示となる。したがって、視野角制御パネル２の液晶セル２１に印加電圧ＶＬを印加することによって、広視野角方向に対しては、バックライト３からの出射光を遮蔽できる。すなわち、広視野角方向からは表示用液晶パネル１の表示画像を視認できなくなり、液晶表示装置１０を狭視野角とすることができる。【００８５】
一方、視野角制御パネル２の液晶セル２１に、図３（ｂ）に示すように、液晶分子２１ｃの分子長軸を基板に略平行に傾ける印加電圧ＶＨを印加した場合は、図４に示す視点Ｐ１〜Ｐ３のいずれの視角に対しても、図７に示すように、全方位角θに対して良好な表示が得られるような十分な複屈折が生じることにより、液晶表示装置１０を広視野角とすることができる。なお、図７において、Ｌ１〜Ｌ８は、輝度が、１３０ｃｄ／ｍ２、２４０ｃｄ／ｍ２、３５０ｃｄ／ｍ２、４６０ｃｄ／ｍ２、５７０ｃｄ／ｍ２、６８０ｃｄ／ｍ２、７９０ｃｄ／ｍ２、及び９００ｃｄ／ｍ２の各視角の分布を示す等位線である。【００８６】
本実施の形態の液晶表示装置１０では、視野角制御パネル２の液晶セル２１に印加する電圧を、印加電圧ＶＨ又は印加電圧ＶＬの少なくとも二段階で切替えることにより、液晶表示装置１０の表示状態を広視野角と狭視野角との間で切替えることが可能となる。【００８７】
なお、本実施の形態では、図８に示すように、液晶セル２１の透光性基板２１ａと第３偏光板２２との間に位相差フィルム４をさらに備えた構成とすることも可能である。液晶セル２１に印加電圧ＶＬを印加することによって狭視野角とした場合、図４に示す方位角θ＝１８０°付近以外の視角（例えば、方位角θ＝０°付近、９０°付近、及び２７０°付近）から見た場合、バックライト３から出射し、第３偏光板２２を透過した後の直線偏光は、液晶分子２１ｃの屈折率（ｎｅ，ｎ０）により、液晶セル２１の液晶層において複屈折が生じて楕円偏光となる。これにより、第２偏光板１３を透過する成分が生じ、光漏れの原因となる。位相差フィルム４は、その楕円偏光を光学補償するために設けられるものである。つまり、狭視野角モード時において、液晶セル２１の液晶層において生じる楕円偏光を相殺するような楕円偏光を生じる位相差フィルムを、位相差フィルム４として使用する。なお、位相差フィルム４の３次元屈折率軸ＮＸ・ＮＹ・ＮＺは、図８に示すように定義する。すなわち、３次元屈折率軸ＮＸは、第２偏光板１３の偏光透過軸Ｘ１３に垂直な成分、３次元屈折率軸ＮＹは、第２偏光板１３の偏光透過軸Ｘ１３に平行な成分、３次元屈折率軸ＮＺは、第２偏光板１３の法線に平行な成分である。【００８８】
なお、上述の液晶表示装置１０では、図２に示すように、表示用液晶パネル１の下側に視野角制御パネル２が設けられたものからなっているが、必ずしもこれに限らず、表示用液晶パネル１と視野角制御パネル２との積層順序を逆にしてもよい。すなわち、バックライト３の上に表示用液晶パネル１を積層し、さらにその上に視野角制御パネル２を積層した構成とすることも可能である。また、この場合、表示用液晶パネル１は、半透過型液晶パネルであっても良い。【００８９】
ところで、本実施の形態の液晶表示装置１０において、視野角制御パネル２を使用する周辺環境は、外光が液晶表示装置１０に当たる環境下で使用する方が、プライバシー表示モードの際、その効果がより顕著になる。すなわち、外光が液晶表示装置１０に当たる環境下で使用する方が、遮蔽力を向上させることができる。この理由は、外光が明るいほど、外光による表示用液晶パネル１からの反射光が目に入り、バックライト３による表示のための光が視認されないためである。例えば、屋外で、携帯電話の表示を見たときに、画面の表示を視認できないことと同じ原理である。【００９０】
この画像視認のメカニズムについて、具体的に、図９（ａ）（ｂ）に基づいて説明する。【００９１】
まず、図９（ａ）に示すように、表示用液晶パネル１において、白表示部の輝度をＡとし、黒表示部の輝度をＢとする。このとき、コントラスト比＝Ａ／Ｂが大きい程、視認し易い。したがって、表示を視認し難くするためには、図９（ｂ）に示すように、例えば、反射光Ｃを照射する。これにより、コントラスト比は、（Ａ＋Ｃ）／（Ｂ＋Ｃ）が１に近づく程、視認し難くなる。したがって、反射光Ｃが大きければ大きい程１に近づく。【００９２】
上記画像視認のメカニズムに基づいて、本実施の形態では、液晶表示装置１０を含む表示装置システムに、図示しない反射光量相対的増大部を設け、この反射光量相対的増大部によって、少なくともプライバシーモード表示である狭視野角モードの場合には、図１に示すように、バックライト３からの光漏れ量よりも液晶表示装置１０の周辺から外光の反射光量の方が相対的に大きくなるようにするようにしている。なお、バックライト３からの光漏れとは、表示用液晶パネル１の表面における表示に寄与するバックライト３からの透過光を意味し、白表示部又は黒表示部のいずれからの光漏れかを問わない。これにより、液晶表示装置１０における表示用液晶パネル１の表示の視認を低減できるので、遮蔽効果、狭視野角効果を増大し得る表示装置システムを提供することができる。なお、この構成によって、上記効果があることが、目視により確認できている。また、この効果は、必ずしも狭視野角モードに限らず、広視野角モードでも効果がある。ただし、狭視野角モードの方が、その効果が大きい。例えば、図６に示す狭視野角モード時の輝度分布を示すチャートにおいて、表示の輝度が５０ｃｄ／ｍ２以下の遮蔽領域が大半を占めているが、この遮蔽領域が表示の輝度が０ｃｄ／ｍ２となっていることを示すものではない。【００９３】
本実施の形態では、狭視野角モードにおいて、遮蔽領域における表示の輝度が１０ｃｄ／ｍ２以下となるようにするのが好ましい。【００９４】
上記バックライト３からの光漏れ量よりも液晶表示装置１０の周辺からの反射光量の方が相対的に大きくなるようにするようにするために、本実施の形態では、例えば、図１０（ａ）に示すように、液晶表示装置１０の周囲に、この液晶表示装置１０への照度を大きくすることにより液晶表示装置１０の反射光量を大きくするためのライト３１を点灯することができる。このライト３１は、上記表示装置システムにおける図示しないライト点灯部に備えられている。【００９５】
具体的には、このライト３１は、液晶表示装置１０を囲む４辺のうちの少なくとも１辺の位置に設けることができる。すなわち、上記１辺の位置は、液晶表示装置１０を囲む上下左右のいずれであってもよい。また、図１０（ａ）に示すように、液晶表示装置１０を囲む４辺の全てにライト３１を設けることが可能である。このライト３１は表示装置システムの図示しないライト点灯部にて点灯される。これにより、ライト３１を点灯することによって、確実にバックライト３からの光漏れ量よりも液晶表示装置１０の周辺からの外光の反射光の反射光量の方が相対的に大きくなるようにすることができる。【００９６】
また、例えば、図１０（ｂ）に示すように、液晶表示装置１０を使用する観察者の対向位置にライトとしてのフロントライト３２を備えることが可能である。【００９７】
これにより、フロントライト３２は観察者の前方に設けられていることになるので、液晶表示装置１０を使用する観察者の背後に存在する人は、ライト３１又はフロントライト３２による反射光により、液晶表示装置１０の表示の視認が妨げられる。【００９８】
また、本実施の形態では、図１０（ａ）に示すように、液晶表示装置１０には、上記表示用液晶パネル１の表面側に設けられ、かつ一部分をタッチすることにより信号入力を可能とするタッチパネル５を設けておくことが可能である。そして、液晶表示装置１０の操作者がこのタッチパネル５にタッチしたときに、ライト３１を点灯することができる。【００９９】
これにより、例えば、銀行のＡＴＭ（Automatic Teller Machine:現金自動支払い機）５０に備えられているタッチパネル５を備えた液晶表示装置１０を操作する場合に、タッチパネル５にタッチしたときに、ライト３１を点灯することができる。したがって、液晶表示装置１０を使用する操作者は、他人にその表示内容を見られないようにすることができる。【０１００】
また、本実施の形態では、図１１に示すように、人の存在を感知する人感知センサとしての例えば赤外線センサ４１を備え、この赤外線センサ４１により人の存在を感知したときに、ライト３１又はフロントライト３２を点灯することができる。【０１０１】
上記赤外線センサ４１は、例えば、天井に設けられており、図示しない赤外線発光部と赤外線受光部とを備え、赤外線発光部から赤外光を発したときに、その反射光を受光して人の存在を感知するものである。すなわち、人が存在すれば、反射光の強度が変わるので、人の存在を感知することができる。【０１０２】
これにより、人の存在を感知する赤外線センサ４１により人の存在を感知したときに、ライト３１又はフロントライト３２を点灯することができる。したがって、液晶表示装置１０を使用する操作者がいるときに、ライト３１又はフロントライト３２を点灯して、バックライト３からの光漏れ量よりも液晶表示装置１０の周辺からの外光の反射光の反射光量の方が相対的に大きくなるようにすることができる。なお、この種の人の存在を感知するセンサとして、例えば、電波や可視光に反応するセンサであってもよい。【０１０３】
また、この赤外線センサ４１は、例えば、図１２（ａ）及び図１２（ｂ）に示すように、例えば、銀行のＡＴＭ５０に備えておき、このＡＴＭ５０の液晶表示装置１０の操作者を直接感知することができる。なお、図１２（ａ）はＡＴＭ５０の上部に赤外線センサ４１を設けたものを示す、図１２（ｂ）はＡＴＭ５０の下部に赤外線センサ４１を設けたものを示している。ＡＴＭ５０の下部に赤外線センサ４１を設けたものは、例えば、車椅子の操作者に対して効果がある。【０１０４】
また、この赤外線センサ４１は、必ずしも反射型に限らず、例えば、図１３（ａ）及び図１３（ｂ）に示すように、一方のポール４２ａに図示しない赤外線発光部を設け、他方のポール４２ｂに赤外線受光部４３ａを設けた透過型の赤外線センサ４３とすることができる。そして、例えば、図１３（ａ）に示すように、ＡＴＭ５０の液晶表示装置１０の操作者を感知するように、ポール４２ａ・４２ｂを設置することができる。これにより、このＡＴＭ５０の液晶表示装置１０の操作者を直接感知することができる。【０１０５】
一方、図１３（ｂ）に示すように、ＡＴＭ５０の液晶表示装置１０を使用する操作者の背後にいる人を感知するために、操作者の背後にいる人を感知するようにポール４２ａ・４２ｂを設置することもできる。【０１０６】
また、例えば、図１４（ａ）に示すように、人の存在を感知するセンサとして、ＡＴＭ５０を操作するためのキャッシュカード５１のＡＴＭ５０への入力により、上記ライト３１又はフロントライト３２を点灯することができる。【０１０７】
さらに、図１４（ｂ）に示すように、ＡＴＭ５０において、液晶表示装置１０の操作者が立つ位置に人感知用踏み板５２を設置しておき、人感知用踏み板５２にて人が立ったときの重みに感知させることも可能である。この人感知用パネル５２には、例えば、図示しない圧電素子が組み込まれており、人がこの人感知用パネル５２に立つことによって、圧電素子がその圧力を検知して、人が存在することを検知する。【０１０８】
一方、本実施の形態の表示装置システムでは、図１５（ａ）及び図１５（ｂ）に示すように、液晶表示装置１０の周辺の照度を感知する周辺照度感知センサとしての照度計６１を備え、この照度計６１にて感知した照度が、設定値以下になったときに、上記ライト３１又はフロントライト３２を点灯することができる。なお、図１５（ａ）は、ＡＴＭ５０に照度計６１を取り付けたものを示す。この構成の場合には、液晶表示装置１０周辺の照度に感知する。一方、図１５（ｂ）は、ＡＴＭ５０が備えられた居室に照度計６１を設けた例を示している。この構成の場合には、外光の照度に感知する。したがって、例えば、その日の天気と連動させることが可能である。これら構成の場合には、事前に所定の照度に閾値を設けておく。そして、照度計６１にて感知した照度がこの閾値よりも下回った場合に、ライト３１又はフロントライト３２の点灯制御を行う。【０１０９】
これにより、周辺環境が暗くなってきたときには、照度計６１にて感知した照度が、設定値以下になったときに、上記ライト３１又はフロントライト３２を点灯する。【０１１０】
したがって、例えば、夕方等において、周辺が暗くなってきて、液晶表示装置１０が視認し易くなってきたときに、ライト３１又はフロントライト３２を点灯して、バックライト３からの光漏れ量よりも液晶表示装置１０の周辺からの外光の反射光の反射光量の方が相対的に大きくなるようにすることができる。【０１１１】
ところで、上記の説明では、バックライト３からの光漏れ量よりも液晶表示装置１０の周辺からの反射光量の方が相対的に大きくなるようにする方法として、例えば、ライト３１又はフロントライト３２を設けていた。【０１１２】
しかし、必ずしもこれに限らず、例えば、ライト３１又はフロントライト３２を点灯する代わりに、バックライト３の輝度を減ずることも可能である。このバックライト３の減輝度は、表示装置システムにおける図示しないバックライト輝度低減部が行う。【０１１３】
これにより、バックライト３の輝度を減じて、バックライト３からの光漏れ量よりも液晶表示装置１０の周辺からの外光の反射光の反射光量の方が相対的に大きくなるようにすることができる。【０１１４】
また、本実施の形態の表示装置システムでは、例えば、図１６（ａ）、図１６（ｂ）、及び図１６（ｃ）に示すように、液晶表示装置１０の周囲の少なくとも一部に、この液晶表示装置１０への照度を大きくするための反射部材としての反射板７１、反射シート７２、又はアルミ材７３を備えていることが可能である。【０１１５】
このように、液晶表示装置１０の周囲の少なくとも一部に反射部材を設けることにより、液晶表示装置１０への照度を大きくし、液晶表示装置１０の反射光の反射光量を大きくすることができる。したがって、ライト点灯又はバックライト３の輝度の減少による、バックライト３からの光漏れ量よりも液晶表示装置１０の周辺からの外光の反射光の反射光量の方が相対的に大きくなるようにする効果を一層向上させることができる。【０１１６】
具体的には、例えば、図１６（ａ）に示すように、ＡＴＭ５０の周りに立設された反射板７１を備えることが可能である。この反射板７１は、衝立方式になっており、液晶表示装置１０への対向角度が変更可能として、光を液晶表示装置１０に集光できるようになっている。これにより、希望する方向からの液晶表示装置１０の表示の視認を抑制することができる。なお、この形態では、必ずしも液晶表示装置１０への対向角度が変更可能になっていなくてよい。例えば、天井に設けた反射板でもよい。【０１１７】
また、図１６（ｂ）に示すように、反射部材としての反射シート７２を、液晶表示装置１０を使用する観察者の対向位置に設けることが可能である。これにより、外光は、液晶表示装置１０を使用する観察者の対向位置に設けられている反射シート７２によって、反射される。したがって、例えば、液晶表示装置１０を使用する観察者の背後に存在する人は、反射シート７２による反射光により、液晶表示装置１０の表示の視認が妨げられる。【０１１８】
また、図１６（ｃ）に示すように、液晶表示装置１０にフロントライト３２を備えると共に、液晶表示装置１０の周囲に反射部材としてのアルミ材７３を敷くことが可能である。これにより、液晶表示装置１０への照度をさらに高めることができる。なお、反射部材は、必ずしもアルミ材７３に限らず、例えば、ＡＴＭ５０の表面を、銀メッキ、又はアルミメッキ等の反射部材により、反射し易いように加工しておくことも可能である。【０１１９】
なお、本実施の形態では、さらに、図２に示す液晶表示装置１０の表面の第１偏光板１２に拡散処理が施されているものを使用するのが好ましい。具体的には、第１偏光板１２の表面に例えばＡＧ（Anti Glar）処理が施されていることが好ましい。このＡＧ処理とは、ギラギラ（反射）防止処理のことを意味する。例えば、ガラス表面等での鏡面反射を避ける方法の１つであり、第１偏光板１２の表面を少し粗面にするか、又は粗面膜を貼り付ける等の処理を行う。この結果、例えば、背景の写り込みを防ぐことができるものである。【０１２０】
これにより、拡散処理していない第１偏光板１２が備えられている場合に比べて、視野角制御パネル２の狭視野角制御効果が高まる。【０１２１】
また、上記の構成では、液晶分子を垂直配向させた液晶セルを用いることにより、限られた視野角のみ表示を視認できる狭視野角状態が実現可能である。これにより、従来の視野角制御技術のように、広視野角側の表示のコントラストを低下させるのではなく、光の透過及び遮蔽の切替えによって視野角制御を行うことができる。この結果、狭視野角モードに切替えたときにも、上記バックライト３からの光漏れ量よりも液晶表示装置１０の周辺からの外光の反射光の反射光量の方が相対的に大きくなるようにすることができるので、遮蔽効果を増大することができる。【０１２２】
また、本発明の表示装置システムでは、前記表示パネルは、表示用液晶パネル１であることが好ましい。なお、表示用液晶パネル１は、透過型液晶表示パネル、反射型液晶表示パネル、又は半透過型液晶表示パネルのいずれでもよい。【０１２３】
これにより、遮蔽効果を増大し得る液晶表示パネルを備えた表示装置システムを提供することができる。【０１２４】
なお、本実施の形態の表示装置システムでは、その他、ライト点灯、バックライト輝度ダウン、フロントライト、反射シート、及び反射板のさまざまな組み合わせも可能である。
【産業上の利用可能性】
【０１２５】
本発明は、バックライトと、表示パネルと、上記表示パネルの視野角を制御する視野角制御パネルとを備えた例えば液晶表示装置等の表示装置を含む表示装置システムに適用できる。液晶表示装置は、例えば、透過型液晶表示装置、反射型液晶表示装置、又は半透過型液晶表示装置のいずれでも適用可能である。
【図１】
2007138732.tif 000003
【図２】
2007138732.tif 000004
【図３】
2007138732.tif 000005
【図４】
2007138732.tif 000006
【図５】
2007138732.tif 000007
【図６】
2007138732.tif 000008
【図７】
2007138732.tif 000009
【図８】
2007138732.tif 000010
【図９】
2007138732.tif 000011
【図１０（ａ）】
2007138732.tif 000012
【図１０（ｂ）】
2007138732.tif 000013
【図１１】
2007138732.tif 000014
【図１２（ａ）】
2007138732.tif 000015
【図１２（ｂ）】
2007138732.tif 000016
【図１３（ａ）】
2007138732.tif 000017
【図１３（ｂ）】
2007138732.tif 000018
【図１４（ａ）】
2007138732.tif 000019
【図１４（ｂ）】
2007138732.tif 000020
【図１５（ａ）】
2007138732.tif 000021
【図１５（ｂ）】
2007138732.tif 000022
【図１６（ａ）】
2007138732.tif 000023
【図１６（ｂ）】
2007138732.tif 000024
【図１６（ｃ）】
2007138732.tif 000025
【図１７】
2007138732.tif 000026
【国際調査報告】
2007138732.tif 000027
2007138732.tif 000028
2007138732.tif 000029
2007138732.tif 000030